(57)【要約】【課題】ユーザの生体データの変化や生体認証時の周囲環境の変化などに対するロバスト性を生体認証に持たせることのできる生体認証装置を提供する。【解決手段】生体認証装置が適用されたゲート装置１には、ユーザの指紋データを読取る指紋データ読取り手段１００と、それぞれ異なる生体認証アルゴリズムが適用された３つの指紋認証部２０１を有し、３つの指紋認証部２０１を併用して、指紋データ読取り手段１００が読取った同一の生体データを認証し、予め設定された合否判定基準とそれぞれの指紋認証部２０１の認証結果を比較して、ユーザの指紋認証の合否を判定する指紋認証手段２００と、各々の指紋認証部２０１が利用するテンプレートを記憶するデータベース２０２と、を備える。【選択図】図３
2009129252.tif 000002
【特許請求の範囲】
【請求項１】
ユーザを生体認証する生体認証装置であって、前記生体認証装置は、ユーザの生体データを読取る生体データ読取り手段と、それぞれ異なる生体認証アルゴリズムが適用された複数の認証部を有し、複数の前記認証部を併用して、前記生体データ読取り手段が読取った同一の前記生体データを認証し、予め設定された合否判定基準とそれぞれの前記認証部の認証結果を比較して、ユーザの生体認証の合否を判定する生体認証手段と、各々の前記認証部が利用するテンプレートを記憶するデータベースと、を備えていることを特徴とする生体認証装置。
【請求項２】
請求項１に記載の生体認証装置であって、前記生体認証装置の前記生体認証手段に設定された前記合否判定基準では、前記生体認証手段がユーザの生体認証を合格と判定するときの、前記生体データの認証に成功した前記認証部の必要数が示され、前記生体認証手段は、前記生体データの認証に成功した前記認証部の数が前記必要数以上であるとき、ユーザの生体認証に成功したと判定することを特徴とする生体認証装置。
【請求項３】
請求項１または請求項２に記載の生体認証装置であって、前記生体認証装置は、前記認証部を前記生体認証装置に登録する認証部登録手段を備えていることを特徴とする生体認証装置。
【請求項４】
ユーザを生体認証する生体認証方法であって、ユーザを生体認証する装置が、ユーザの生体データを読取る工程ａと、前記装置が、それぞれ異なる生体認証アルゴリズムを併用して同一の前記生体データを認証し、予め設定された合否判定基準とそれぞれの前記認証部の認証結果を比較して、ユーザの生体認証の合否を判定する工程ｂとを順に実行することを特徴とする生体認証方法。
【請求項５】
請求項４に記載の生体認証方法であって、前記工程ｂにおいて、前記装置は、前記生体データの認証に成功した前記認証部の数が、前記合否判定基準で示される必要数以上であるとき、ユーザの生体認証に成功したと判定することを特徴とする生体認証方法。
【請求項６】
ユーザの生体データを読取る工程ａと、それぞれ異なる生体認証アルゴリズムを併用して同一の前記生体データを認証し、各々の前記生体認証アルゴリズムの認証結果に基づいて、ユーザの生体認証の合否を判定する工程ｂとを、コンピュータに実行させるためのコンピュータプログラム。
【請求項７】
請求項６に記載のコンピュータプログラムであって、前記工程ｂは、前記生体データの認証に成功した前記認証部の数が、前記合否判定基準で示される必要数以上であるとき、ユーザの生体認証に成功したと判定する工程であることを特徴とするコンピュータプログラム。
【発明の詳細な説明】
【技術分野】
【０００１】
本発明は、生体データを用いてユーザ認証する生体認証の技術分野に関し、更に詳しくは、ユーザの生体データの変化や生体認証時の周囲環境の変化などに対してロバスト性を生体認証に持たせるための技術に関する。
【背景技術】
【０００２】
指紋などの生体データを利用して本人認証する場合、バイオメトリクスデータは、本人認証時の環境（湿度など）や、バイオメトリクスデータの経時的変化によって、正当な本人であるにも係らず、本人認証に失敗するケースがあったり、指先を良く使う職業によっては、指紋データを認証に利用できない場合があるため、複数の生体データに対応したマルチモーダル認証システムが考案されている。
【０００３】
例えば、特許文献１においては、複数種類の生体データを読取るにするために、複数の異なるセンサーが配置された入力部を備えた認証装置が開示されている。特許文献１で開示されている内容によれば、認証装置は、選択された生体データの組合せより認証精度を決定し、決定した認証精度に基づく認証レベルを表示する。
【０００４】
特許文献１で開示されている認証装置を用いることで、ユーザは、例えばユーザの生体データの変化や生体データの周囲環境のなどに応じて、ユーザが受けたいサービスの認証レベルに達するように、生体データを柔軟に選択することが可能になる。
【特許文献１】特開２００５−３１７０４９号公報
【発明の開示】
【発明が解決しようとする課題】
【０００５】
しかしながら、特許文献１で開示されている認証装置は、ユーザの生体データの変化や生体認証時の周囲環境の変化などに対応するために、複数種類の生体データを読取るための複数のセンサが配置された入力部を備えているため、認証装置の小型化が困難であったり、認証装置の価格が高価になってしまう問題があった。
【０００６】
そこで、本発明は、複数種類の生体データを読取るために、複数のセンサを備えなくとも、ユーザの生体データの変化や生体認証時の周囲環境の変化などに対するロバスト性を生体認証に持たせることのできる生体認証装置、生体認証方法およびコンピュータプログラムを提供することを目的とする。
【課題を解決するための手段】
【０００７】
上述した課題を解決する第１の発明は、ユーザを生体認証する生体認証装置であって、前記生体認証装置は、ユーザの生体データを読取る生体データ読取り手段と、それぞれ異なる生体認証アルゴリズムが適用された複数の認証部を有し、複数の前記認証部を併用して、前記生体データ読取り手段が読取った同一の前記生体データを認証し、予め設定された合否判定基準とそれぞれの前記認証部の認証結果を比較して、ユーザの生体認証の合否を判定する生体認証手段と、各々の前記認証部が利用するテンプレートを記憶するデータベースと、を備えていることを特徴とする。
【０００８】
上述した第１の発明によれば、複数の生体認証アルゴリズムを併用して同一の生体データを認証することで、それぞれの生体認証アルゴリズムの欠点を補える。例えば、ある生体認証アルゴリズムで認証しずらい状態の生体データであっても、他の生体認証アルゴリズムで認証を行えるようになるため、複数のセンサを備えなくとも、前記生体認証装置に、ユーザの生体データの変化や生体認証時の周囲環境の変化などに対してロバスト性を持たせることができる。なお、ここで生体データとは、指紋データや声帯データなど、ユーザごとに固有な身体的特徴であるデータを意味する。
【０００９】
更に、複数の生体認証アルゴリズムを併用して同一の生体データを認証することで、生体認証装置には、複数の前記生体データ読取り手段を設ける必要がなくなり、前記生体認証装置を小型化したり、前記生体認証装置を低価格化したりできるようになるし、ユーザは、生体データを読取らせる操作を１回で済むようになる。
【００１０】
更に、第２の発明は、第１の発明に記載の生体認証装置であって、前記生体認証装置の前記生体認証手段に設定された前記合否判定基準では、前記生体認証手段がユーザの生体認証を合格と判定するときの、前記生体データの認証に成功した前記認証部の必要数が示され、前記生体認証手段は、前記生体データの認証に成功した前記認証部の数が前記必要数以上であるとき、ユーザの生体認証に成功したと判定することを特徴とする。
【００１１】
上述した第２の発明によれば、前記生体認証装置に備えられた前記生体認証手段に設定された前記合否判定基準を前記必要数とすることで、生体認証のセキュリティレベルを容易に変更することができるようになる。例えば、高度なセキュリティレベルを必要としない場合は前記必要数を１にすればよく、また、高度なセキュリティレベルを必要とする場合は、前記必要数を２以上にすればよい。
【００１２】
更に、第３の発明は、第１の発明または第２の発明に記載の生体認証装置であって、前記生体認証装置は、前記認証部を前記生体認証装置に登録する認証部登録手段を備えていることを特徴とする。
【００１３】
上述した第３の発明によれば、前記生体認証装置が前記認証部登録手段を備えることで、新しい生体認証アルゴリズムが考案された場合、この生体認証アルゴリズムを前記生体認証装置に速やかに適用できるようになる。
【００１４】
更に、第４の発明は、ユーザを生体認証する生体認証方法であって、ユーザを生体認証する装置が、ユーザの生体データを読取る工程ａと、前記装置が、それぞれ異なる生体認証アルゴリズムを併用して同一の前記生体データを認証し、予め設定された合否判定基準とそれぞれの前記認証部の認証結果を比較して、ユーザの生体認証の合否を判定する工程ｂとを順に実行することを特徴とする。
【００１５】
更に、第５の発明は、第４の発明に記載の生体認証方法であって、前記工程ｂにおいて、前記装置は、前記生体データの認証に成功した前記認証部の数が、前記合否判定基準で示される必要数以上であるとき、ユーザの生体認証に成功したと判定することを特徴とする。
【００１６】
第４の発明および第５の発明によれば、上述した第１の発明および第２の発明と同様の効果が得られる。
【００１７】
更に、第６の発明は、ユーザの生体データを読取る工程ａと、それぞれ異なる生体認証アルゴリズムを併用して同一の前記生体データを認証し、各々の前記生体認証アルゴリズムの認証結果に基づいて、ユーザの生体認証の合否を判定する工程ｂとを、コンピュータに実行させるためのコンピュータプログラムである。
【００１８】
更に、第７の発明は、第６の発明に記載のコンピュータプログラムであって、前記工程ｂにおいて、前記装置は、前記生体データの認証に成功した前記認証部の数が、前記合否判定基準で示される必要数以上であるとき、ユーザの生体認証に成功したと判定する工程であることを特徴とする。
【００１９】
第６の発明および第７の発明によれば、上述した第１の発明および第２の発明と同様の効果が得られる。
【発明の効果】
【００２０】
上述した本発明によれば、複数種類の生体データを読取るために、複数のセンサを備えなくとも、ユーザの生体データの変化や生体認証時の周囲環境の変化などに対するロバスト性を生体認証に持たせるこのできる生体認証装置、生体認証方法およびコンピュータプログラムを提供できる。
【発明を実施するための最良の形態】
【００２１】
ここから、本発明に係る生体認証装置、生体認証方法およびコンピュータプログラムについて詳細に説明する。本実施形態は、ユーザの入退室を管理するゲート装置１に、本発明に係る生体認証装置を適用した実施形態で、ユーザの生体認証として、ユーザの指紋データを利用する。
【００２２】
図１は、本発明に係る生体認証装置として機能するゲート装置１を説明する図である。図１に図示したように、ゲート装置１は、ユーザの生体データである指紋データを読取る指紋センサ１１、テンキー１２およびディスプレイ１３などを備え、ドアの施錠を制御する機能を備えたドアパネル１０と、指紋センサ１１が読取ったユーザの指紋データを認証し、認証結果に基づいてドアの施錠を管理するコンピュータプログラムが実装されたコンピュータ２０とから構成される。
【００２３】
コンピュータ２０には、それぞれ異なる指紋認証アルゴリズム適用された複数の指紋認証モジュールが実装され、コンピュータ２０に備えられた大容量の記憶装置であるハードディスクには、それぞれの生体認証モジュールで利用される複数のテンプレートが、ユーザごとに記憶されている。
【００２４】
本実施形態では、コンピュータ２０には、パターンマッチング法、マニューシャ法、および、周波数解析法の指紋認証アルゴリズムがそれぞれ適用された３つの指紋認証モジュールが実装され、ハードディスクには、それぞれの指紋認証モジュールが利用するテンプレートとして、パターンマッチング法用のテンプレート、マニューシャ法用のテンプレート、および、周波数解析法用のテンプレートが記憶されている。
【００２５】
図２は、ゲート装置１に適用された指紋認証アルゴリズムを説明するための図で、図２（ａ）は、パターンマッチング法を説明する図、図２（ｂ）は、マニューシャ法を説明する図、図２（ｃ）は、周波数解析法を説明する図である。
【００２６】
図２（ａ）に図示したように、パターンマッチング法の指紋認証アルゴリズムとは、指紋センサ１１で読取った指紋データを２値化した線画像を照合するアルゴリズムで、パターンマッチング法の指紋認証モジュールが利用するテンプレートには、ユーザが登録した指紋データを２値化した線画像が記憶される。
【００２７】
図２（ｂ）に図示したように、マニューシャ法の指紋認証アルゴリズムとは、指紋センサ１１で読取った指紋データの特徴点（端点など）の位置を認証するアルゴリズムで、マニューシャ法の指紋認証モジュールが利用するテンプレートには、ユーザが登録した指紋データから解析して得られた特徴点の位置が記憶される。
【００２８】
図２（ｃ）に図示したように、周波数解析法の指紋認証アルゴリズムとは、指紋センサ１１で読取った指紋データの少なくとも１ラインの凹凸を波形データに変換して照合するアルゴリズムで、周波数解析法の指紋認証モジュールが利用するテンプレートには、コンピュータ２０にユーザが登録した指紋データの凹凸を変換した波形データのスペクトル系列が記憶される。
【００２９】
それぞれ異なる指紋認証アルゴリズムが適用された複数の指紋認証モジュールをコンピュータ２０に実装するのは、それぞれの指紋認証アルゴリズム（ここでは、パターンマッチング法、マニューシャ法、および、周波数解析法）に欠点があり、それぞれの欠点を補うためである。
【００３０】
例えば、パターンマッチング法の指紋認証アルゴリズムは、２値化した指紋データの線画像を水平、垂直位置の補正と回転の補正をおこない、テンプレートと比較するため、局所的な変形がある画像に弱いという欠点がある。また、マニューシャ法の指紋認証アルゴリズムは、指紋データの分岐点、端点、三角州などの位置と隆線の方向を特徴点としてテンプレートとの比較するため、特徴点が少ない場合に対応が困難になるという欠点がある。更に、周波数解析法の指紋認証アルゴリズムは、指紋の凹凸をスライスし、その断面を波形スペクトルとしてその特徴を比較するため、読取った指紋データの部分的欠落に弱いという欠点がある。
【００３１】
そこで、ゲート装置１を構成するコンピュータ２０が、複数の指紋認証アルゴリズム（ここでは、３つの指紋認証アルゴリズム）を併用して、指紋センサ１１が読取った指紋データを認証し、予め定められた合否判定基準を参照して、指紋認証の合否を判定することで、それぞれの指紋認証アルゴリズムの欠点を補えるため、ある指紋認証アルゴリズムで認証しずらい状態の指紋データであっても、他の指紋認証アルゴリズムで認証を行えるようになる。
【００３２】
更に、複数の指紋認証アルゴリズムを併用して一つの指紋データを認証することで、ゲート装置１のドアパネルには、複数の指紋センサ１１を設ける必要がなくなり、ドアパネルの小型化および低価格化を図ることができ、更に、ユーザは、指紋データを読取らせる操作を１回で済むようになる。
【００３３】
加えて、指紋データを認証するときに参照される合否判定基準を変更することで、指紋認証のセキュリティレベルを変更することができる。例えば、高度なセキュリティレベルを必要としない部屋の入退室管理にゲート装置１を設ける場合は、３つの指紋認証アルゴリズムのいずれか一つの成功することを合否判定基準とすればよく、また、高度なセキュリティレベルを必要とする部屋の入退室管理にゲート装置１を設ける場合は、３つの指紋認証アルゴリズムのすべてに成功することを合否判定基準とすればよい。
【００３４】
図３に、ゲート装置１の機能ブロック図を示す。本発明に係る生体認証装置として機能するためにゲート装置１には、少なくとも、ユーザの指紋データを読取る指紋読取り手段１００、それぞれ異なる指紋認証アルゴリズムが適用された複数（ここでは、３つ）の指紋認証部２０１を併用して、ユーザの指紋データを認証する指紋データ認証手段２００、新たな指紋認証部２０１をゲート装置１に追加するための指紋認証部登録手段２０３、および、テンプレートデータベース２０２が備えられている。
【００３５】
ゲート装置１の指紋読取り手段１００は、ドアパネル１０に設けられた指紋センサ１１で具体的には実現されており、指紋センサ１１としては、静電容量型の指紋センサ１１或いは圧力検知型の指紋センサ１１が薄型で望ましい。
【００３６】
ゲート装置１の指紋認証手段２００は、それぞれ異なる指紋認証アルゴリズムが適用された複数の指紋認証部２０１を併用して、ユーザの指紋データを認証する手段で、ドアパネル１０と接続されたコンピュータ２０に実装されるコンピュータプログラムで具体的には実現され、それぞれの指紋認証部２０１は、指紋認証手段２００から呼出される関数で実現される。
【００３７】
本実施形態において、ゲート装置１の指紋認証手段２００は、それぞれ異なる指紋認証アルゴリズムが適用された指紋認証部２０１として、パターンマッチング法の指紋認証アルゴリズムでユーザの指紋データを認証する指紋認証部２０１、マニューシャ法の指紋認証アルゴリズムでユーザの指紋データを認証する指紋認証部２０１、および、周波数解析法の指紋認証アルゴリズムでユーザの指紋データを認証する指紋認証部２０１を備え、ゲート装置１の指紋認証手段２００は、これらの指紋認証部２０１を併用してユーザの指紋データを認証する。
【００３８】
今後、それぞれの指紋認証部２０１を区別して記述するとき、それぞれの指紋認証アルゴリズムの名称を括弧で括って記載する。例えば、パターンマッチング法の指紋認証アルゴリズムでユーザの指紋データを認証する指紋認証部２０１は、指紋認証部２０１（パターンマッチング法）と記載する。
【００３９】
ゲート装置１のテンプレートデータベース２０２は、ドアパネル１０と接続されたコンピュータ２０に実装されるハードディスクで具体的には実現され、ゲート装置１の指紋認証手段２００が有する指紋認証部２０１が利用するテンプレートが記憶される。
【００４０】
図４は、テンプレートデータベース２０２の構造を説明する図で、テンプレートデータベース２０２には、ユーザを識別するためのユーザＩＤに関連付けて、ゲート装置１の指紋認証手段２００が有する指紋認証部２０１それぞれが利用するテンプレートが複数記憶されている。
【００４１】
本実施形態では、指紋認証部２０１（パターンマッチング法）が利用するテンプレート、指紋認証部２０１（マニューシャ法）が利用するテンプレート、および、指紋認証部２０１（周波数解析法）が利用するテンプレートが、ユーザＩＤに関連付けられてテンプレートデータベース２０２に記憶される。
【００４２】
本実施形態で、ユーザＩＤに関連付けてテンプレートを記憶するのは、ゲート装置１を利用するユーザの人数が多いためである。例えば、本発明をゲート装置１ではなく、パーソナルコンピュータなどの個人利用される装置に適用する場合は、ユーザＩＤに関連付けてテンプレートを記憶する必要はない。
【００４３】
指紋認証部２０１をゲート装置１に追加するための指紋認証部登録手段２０３は、新しい指紋認証アルゴリズムが考案されたとき、考案された新しい指紋認証アルゴリズムが適用された指紋認証部２０１をゲート装置１に追加するための備えられた手段で、具体的には、コンピュータ２０にインストールされたソフトウェアに備えられたアドイン機能のように、指紋認証手段２００から呼出される関数で実現される指紋認証部２０１を、ゲート装置１に追加するためのコンピュータプログラムで実現される。
【００４４】
ここから、ゲート装置１の指紋認証手段２００が、複数の指紋認証部２０１を併用して、ユーザの指紋データを認証する手順について説明する。図５は、ゲート装置１の指紋認証手段２００がユーザの指紋データを認証する一連の手順を示したフロー図で、図６は、ゲート装置１の指紋認証手段２００がユーザの指紋データを認証する処理の詳細を示したフロー図である。
【００４５】
以下、図５の説明をする。ゲート装置１の指紋認証手段２００は、ユーザの指紋データを認証するとき、指紋読取り手段１００（ここでは、ドアパネルの指紋センサ１１）からユーザの指紋データを取得する（Ｓ１）。本実施形態では、ドアパネル１０は、ディスプレイ１３にメッセージを表示させて、テンキー１２を用いたユーザＩＤの入力をユーザに要求し、ユーザＩＤが入力された後に、指紋読取り手段１００である指紋センサ１１を作動させてユーザの指紋データを読取り、入力されたユーザＩＤと読取った指紋データをゲート装置１の指紋認証手段２００に送信する。
【００４６】
ゲート装置１の指紋認証手段２００は、指紋読取り手段１００から指紋データとユーザＩＤを受信すると、ユーザの指紋データを認証する（Ｓ２）。
【００４７】
ここから、図６を参照しながら、ゲート装置１の指紋認証手段２００が、ユーザの指紋データを認証する処理の詳細について説明する。ゲート装置１の指紋認証手段２００がユーザの指紋データを認証する処理は、ループ開始Ｌ１からループ終了Ｌ２で定義されるループ処理で、ループが繰返し実行される回数Ｎは、ゲート装置１の指紋認証手段２００が対応している指紋認証アルゴリズムの数、すなわち、ゲート装置１の指紋認証手段２００が有している指紋認証部２０１の数で、ここでは、その回数Ｎは「３」である。
【００４８】
ゲート装置１の指紋認証手段２００には、指紋データを認証するときに作動させる指紋認証部２０１の作動順序が予め定められ、この作動順序を参照し、ループの実行回数ｉに対応した指紋認証部２０１を呼出し、呼出した指紋認証部２０１にユーザの指紋データを認証させる（Ｓ１０）。
【００４９】
指紋認証部２０１がユーザの指紋データを認証するとき、指紋認証手段２００から、指紋読取り手段１００が読取ったユーザの指紋データが指紋認証部２０１に引渡され、指紋認証部２０１は、引渡されたユーザの指紋データを加工して、テンプレートと照合する認証データを生成する。
【００５０】
そして、引渡されたユーザの指紋データから認証データを生成すると、指紋認証部２０１は、テンプレートデータベース２０２から、指紋データを認証する指紋認証部２０１に対応したテンプレートを取得し、生成認証データとテンプレートを照合することで、ユーザの指紋データを認証する。
【００５１】
例えば、指紋認証部２０１が、指紋認証部２０１（パターンマッチング法）であるならば、指紋認証部２０１（パターンマッチング法）は、引渡されたユーザの指紋データを２値化した線画像に加工することで認証データを生成する。そして、テンプレートデータベース２０２から、パターンマッチング法のテンプレートを取得し、指紋データを２値化した線画像である認証データを水平、垂直位置の補正と回転の補正をおこない、テンプレートと比較して照合する。
【００５２】
指紋認証部２０１はユーザの指紋データを認証すると、指紋認証結果を指紋認証手段２００に引渡し、指紋認証手段２００は、引渡された指紋認証結果をユーザの指紋認証が終了するまで保持する（Ｓ１１）。
【００５３】
図６で図示した手順が実行されることで、ユーザの指紋データは、それぞれ異なる指紋認証アルゴリズムが適用された複数の指紋認証部２０１で認証され、ゲート装置１の指紋認証手段２００には、複数の指紋認証部２０１の指紋認証結果が記憶されることになる。
【００５４】
ここから、図５で図示したフローの説明に戻る。図５のＳ２が実行され、ユーザの指紋データを、複数の指紋認証アルゴリズムで認証すると、ゲート装置１の指紋認証手段２００は、複数の指紋認証アルゴリズムの指紋認証結果と合否判定基準を比較して、ユーザの指紋認証の合否を判定する（Ｓ３）。
【００５５】
ユーザの指紋認証の合否を判定するときに指紋認証手段２００が参照する合否判定基準の内容は、任意に設定することが可能で、簡単な例では、ユーザの指紋認証に合格したと判定するときの、指紋認証に成功した指紋認証部２０１の必要数を合否判定基準とすることができる。
【００５６】
合否判定基準で示される数が「１」であれば、１つの指紋認証部２０１でユーザの指紋認証に成功していれば、ユーザの指紋認証の合否は合格となる。本実施形態では、指紋認証部２０１（パターンマッチング法）、指紋認証部２０１（マニューシャ法）、または、指紋認証部２０１（周波数解析法）のいずれかで、ユーザの指紋認証に成功すれば、ユーザの指紋認証の合否は合格となる。
【００５７】
また、合否判定基準で示される数が「３」であれば、３つの指紋認証部２０１でユーザの指紋認証に成功していれば、ユーザの指紋認証の合否は合格となる。本実施形態では、指紋認証部２０１（パターンマッチング法）、指紋認証部２０１（マニューシャ法）、および、指紋認証部２０１（周波数解析法）の全てで、ユーザの指紋認証に成功すれば、ユーザの指紋認証の合否は合格となる。
【００５８】
ユーザの指紋認証を合格と判定したき、指紋認証手段２００は、ユーザの指紋認証に合格したときの処理を実行し、ここでは、ドアを開錠する指示をドアパネル１０に送信し（Ｓ４）、この手順は終了する。ユーザの指紋認証を不合格と判定したき、指紋認証手段２００は、ユーザの指紋認証に不合格したときの処理を実行し、ここでは、ユーザの指紋認証に失敗したことを示すメッセージをディスプレイ１３に表示させる指示をドアパネル１０に送信し（Ｓ５）、この手順は終了する。
【００５９】
なお、図５で図示したフローにおいては、全ての指紋認証部２０１でユーザの指紋データを認証した後に、指紋認証手段２００がユーザの指紋認証の合否を判定しているが、指紋認証部２０１がユーザの指紋データを認証する毎に、指紋認証手段２００がユーザの指紋認証の合否を判定するようにしてもよい。
【００６０】
ここから、本発明の変形例について説明する。上述した実施形態では、本発明に係る生体認証装置をゲート装置１に適用していたが、当然のことながら、本発明に係る生体認証装置は、ゲート装置１以外の装置、好ましくは、指紋認証の機能を備えた装置に適用することができる。
【００６１】
図７は、本発明に係る生体認証装置が適用可能な装置の一例を示した図で、図７では、本発明に係る生体認証装置を適用した装置の例として、携帯電話３０に適用した例（図７（ａ））、パーソナルコンピュータ３１に適用した例（図７（ｂ））、そして、ＵＳＢメモリ３２に適用した例（図７（ｃ））を例示している。
【００６２】
図７で図示したそれぞれの装置には、ユーザの指紋データを読取る図３の指紋読取り手段１００として、静電容量型や圧力検知型の指紋センサ３３が設けられ、更に、図３で図示した指紋認証手段２００および指紋認証部２０１として、それぞれの装置に組込まれたＣＰＵを機能させるコンピュータプログラムが実装され、それぞれの装置に組込まれた記憶装置（例えば、半導体メモリ）には、それぞれの指紋認証アルゴリズムで利用されるテンプレートが記憶される。
【図面の簡単な説明】
【００６３】
【図１】ゲート装置を説明する図。
【図２】ゲート装置に適用された指紋認証アルゴリズムを説明するための図。
【図３】ゲート装置の機能ブロック図。
【図４】テンプレートデータベースの構造を説明する図。
【図５】指紋認証手段がユーザの指紋データを認証する一連の手順を示したフロー図。
【図６】指紋認証手段がユーザの指紋データを認証する処理の詳細を示したフロー図。
【図７】本発明に係る生体認証装置が適用可能な装置の一例を示した図。
【符号の説明】
【００６４】
１  ゲート装置
１０  ドアゲート
１１  指紋センサ
１２  テンキー
１３  ディスプレイ
２０  コンピュータ
１００  指紋読取り手段
２００  指紋認証手段
２０１  指紋認証部
２０２  テンプレートデータベース
２０３  指紋認証部登録手段
【図１】
2009129252.tif 000003
【図２】
2009129252.tif 000004
【図３】
2009129252.tif 000005
【図４】
2009129252.tif 000006
【図５】
2009129252.tif 000007
【図６】
2009129252.tif 000008
【図７】
2009129252.tif 000009